(57)【要約】【課題】乗客が行先階釦を容易に探しだせる操作性に優れたエレベータの操作盤を提供すること。【解決手段】エレベータ操作盤は、行先階釦を表示し、行先階釦に乗客が接触することにより行先階を指定できるタッチパネルディスプレイを備えたエレベータ操作盤において、エレベータの運行状況により各階床への利用頻度を判定する利用頻度判定手段と、利用頻度に応じて行先階釦の表示形状を決定する行先階釦表示形状決定手段とを備えている。【選択図】        図１
2004189397.tif 000002
【特許請求の範囲】
【請求項１】
行先階釦を表示し、上記行先階釦に乗客が接触することにより行先階を指定できるタッチパネルディスプレイを備えたエレベータ操作盤において、エレベータ制御装置からエレベータの運行状況を入手し、各階床での利用頻度を判定する利用頻度判定手段と、上記利用頻度に応じて上記行先階釦の表示形状を決定する行先階釦表示形状決定手段とを備えたことを特徴とするエレベータ操作盤。
【請求項２】
上記利用頻度判定手段が、単位時間当たりの各行先階釦の指定回数を各階床の利用頻度とすることを特徴とする請求項１に記載のエレベータ操作盤。
【請求項３】
エレベータかごに乗降者数を計数する負荷検出手段を備え、上記利用頻度判定手段が、上記負荷検出手段から得られる単位時間当たりの各階床の降車者数を各階床の利用頻度とすることを特徴とする請求項１乃至２のいずれか一項に記載のエレベータ操作盤。
【請求項４】
エレベータかごが付加運転動作されるとき、上記利用頻度判定手段が、付加運転動作頻度を各階床の利用頻度とすることを特徴とする請求項１乃至３のいずれか一項に記載のエレベータ操作盤。
【請求項５】
エレベータかごの昇降中に、上記行先階釦が押されたとき、上記行先階釦表示形状決定手段が上記押された行先階釦の表示形状を変更することを特徴とする請求項１乃至４のいずれか一項に記載のエレベータ操作盤。
【請求項６】
上記行先階表示形状決定手段は、エレベータかごが到着済みの各階床に対応した上記行先階釦の表示形状を変更することを特徴とする請求項１乃至５のいずれか一項に記載のエレベータ操作盤。
【発明の詳細な説明】
【０００１】
【発明の属する技術分野】
この発明はエレベータ操作盤に関し、特にタッチパネルを応用したエレベータ操作盤に関する。
【０００２】
【従来の技術】
エレベータの操作案内事項を平面表面に表示し、この平板表面上であって、乗客によって指示された指位置を検出することにより、乗客の指示事項を検出するようにしたところである。これらにより、かご枠内の厚み内で収納できる程度の操作盤を実現し、さらには、階床文字、釦形状、階床案内等の操作案内事項を、平板の脱着によって容易に顧客のニーズに対応できるようにしている（例えば、特許文献１参照。）。
【０００３】
【特許文献１】
特開昭６２−８８７８８号公報、図１
【０００４】
【発明が解決しようとする課題】
上述の操作盤を高層ビル用のエレベータに設置すると、先行釦の数が多くなり、乗客が行先階を指示する際に、数多くの行先階釦から目的の行先階釦を探さなければならないといった不便さがあった。
【０００５】
この発明の目的は、乗客が行先階釦を容易に探しだせる操作性に優れたエレベータの操作盤を提供することである。
【０００６】
【課題を解決するための手段】
この発明に係わるエレベータ操作盤においては、行先階釦を表示し、行先階釦に乗客が接触することにより行先階を指定できるタッチパネルディスプレイを備えたエレベータ操作盤において、エレベータの運行状況により各階床への利用頻度を判定する利用頻度判定手段と、利用頻度に応じて行先階釦の表示形状を決定する行先階釦表示形状決定手段とを備えている。
【０００７】
【発明の実施の形態】
実施の形態１．
図１はこの発明の実施の形態１のエレベータ操作盤の構成図である。図２、図３は図１のタッチパネルディスプレイでの行先階釦の表示である。図４は図１の動作のフローチャートである。
【０００８】
エレベータは、乗客が乗り降りするエレベータかご１と、エレベータの運行制御を行うエレベータ制御装置２と、エレベータかご内または乗り場に設置され、乗客によって行先階などを指示するエレベータ操作盤３とを備えている。
【０００９】
エレベータ操作盤３は、エレベータかご１内または乗り場に設置され、液晶表示制御部４とタッチパネル制御部５とを備えたタッチパネルディスプレイ６と、タッチパネル制御部５によって、タッチパネルディスプレイ６から入力されたタッチパネル上の位置情報を行先階情報に変換する行先階検出手段７と、変換された行先階情報を所定の表示情報を付加して液晶表示制御部４へ送信する行先階釦表示手段８と、エレベータ制御装置２から得られるエレベータ運行状況から各階の利用頻度を判定する利用頻度判定手段９と、利用頻度判定手段９で得られた利用頻度から表示する行先階釦の表示形状を決定する行先階釦表示形状決定手段１０とを備えている。行先階検出手段７、行先階釦表示手段８、利用頻度判定手段９、行先階釦表示形状決定手段１０は、マイクロコンピュータで構成されている。
【００１０】
エレベータの利用頻度として、エレベータ操作盤３を用いて行先階を指定する指定回数、乗降者数または予め求められている付加運転動作などを用いることができる。
【００１１】
タッチパネルディスプレイ６の表示部１１（図２参照）に乗客が触ると、タッチパネル制御部５が触わられた表示部１１の位置を検出して、位置情報を行先階検出手段７に送信される。行先階検出手段７では、表示部１１の位置に該当する行先階を検出し、エレベータ制御装置２へ行先階情報を送信する。エレベータ制御装置２は、行先階検出手段７から送信された行先階情報を行先階毎の指定回数として計数し、エレベータ制御装置２の記憶部１２に記憶する。この際、時間当たりの指定回数を求めて、記憶する。時間当たりの間隔は、時間帯により、１０分または３０分などエレベータの設置状況に基づいて予め設定する。
【００１２】
図２、図３はエレベータ操作盤３の正面からタッチパネルディスプレイ６の正面図である。タッチパネルディスプレイ６の表示部１１にはある行先階を表示し、かつ行先階と検出できる領域１３が行き先階の階数分設けられている。図２の領域１３の形状は矩形で、同じ大きさに設定されている。図３の領域１３の形状は矩形で、その面積が行先階で異なっている。領域１３の中に記載されている数字が行先階の階数を示している。この実施の形態１では、行先階釦の形状を矩形とし、３種類の縦横の幅として表１に示すような値を行先階釦表示形状決定手段に予め記憶してある。１階が最も広い領域１３ａ、Ｂ１、２、３、４階は普通の領域１３ｂ、５階は狭い領域１３ｃになっている。
【００１３】
【表１】
2004189397.tif 000003
【００１４】
図４のフローチャートを用いて、エレベータ操作盤３の動作を説明する。手順３１で、エレベータ制御装置２から利用頻度判定手段９はエレベータ運行状況に基づく指定回数のデータを入手する。手順３２で、指定回数のデータから行先階の利用頻度を求める。手順３３で、行先階釦表示形状決定手段１０は、各行先階の利用頻度の大きさを大きい方から小さい方へ並べ、大きい方から２０％を占める行先階を「高い」、小さい方から２０％を占める行先階を「低い」、その中間を占める行先階を「普通」と、利用頻度の大きさに基づいて行先階を３つに区分する。手順３４で、行先階釦表示形状決定手段１０は、検索階を最下階に設定する。手順３５で、検索階の区分を「高い」「普通」「低い」のどれかに該当するか判断する。「低い」の場合は手順３６、「普通」の場合は手順３７、「高い」の場合は手順３８へ進む。手順３６で、行先階釦表示形状決定手段１０は行先階釦形状をＳＳ（表１参照）として、行先階釦表示手段８へＳＳ（表１参照）の情報を送信し、手順３９へ進む。手順３７で、行先階釦表示形状決定手段は１０行先階釦形状をＳＭ（表１参照）として、行先階釦表示手段８へＳＭ（表１参照）の情報を送信し、手順３９へ進む。手順３８で、行先階釦表示形状決定手段１０は行先階釦形状をＳＬ（表１参照）として、行先階釦表示手段８へＳＬ（表１参照）の情報を送信し、手順３９へ進む。手順３９で、検索階が最上階かどうか判断し、最上階の場合は終了し、最上階でないときは、手順４０へ進む。手順４０で、検索階を一つ上の階に設定し、手順３５へ戻る。行先階釦表示手段８は、行先階釦表示形状決定手段１０で求められた行先階釦の形状情報に基づいて、液晶表示制御部４へ液晶表示の位置情報を送信する。
【００１５】
このようなエレベータ操作盤の表示部の行先階釦が利用頻度が大きい階ほど大きく表示されているので、行先階釦を選択することが容易にできる。
【００１６】
なお、タッチパネルディスプレイの表示を液晶で説明したが、有機または無機のエレクトロルミネッセンスまたはフィールドエミッションディスプレイでも同様な効果が得られる。
【００１７】
実施の形態２．
図５はこの発明の実施の形態２のエレベータ操作盤の構成図である。図６は図５の動作のフローチャートである。
【００１８】
図４は実施の形態１とエレベータかご１に負荷検出装置１４が設けられ、利用頻度を時間当たりの降車数から求める点が異なっていて、その他は同様である。
【００１９】
負荷検出装置１４はエレベータかごの重量を常時計測するはかり１５と、重量データをエレベータ制御装置２に送信する送信手段１６とを備えている。
【００２０】
エレベータ制御装置２は、送られてきた重量データから各階で乗降する乗客の人数に換算する。この際、乗客により体重の差および荷物など加減される重量は異なるが、平均的な乗客当たりの重量で除算して、大まかな乗降者数を求め、時間当たりの乗降者数を計数し、その乗降者計数値を記憶部１２に記憶する。
【００２１】
図６のフローチャートを用いて、エレベータ操作盤３の動作を説明する。手順４１で、エレベータ制御装置２から利用頻度判定手段９はエレベータ運行状況に基づく乗降者計数値のデータを入手する。手順４２で、利用頻度判定手段９は、乗降者計数値のデータから時間当たり降車した降車者数をもって行先階の利用頻度を求める。手順４３で、行先階釦表示形状決定手段１０は各行先階の利用頻度を利用頻度の大きさを大きい方から小さい方へ並べ、大きい方から２０％を占める行先階を「高い」、小さい方から２０％を占める行先階を「低い」、その中間を占める行先階を「普通」と、利用頻度の大きさに基づいて行先階を３つに区分する。手順４４で、行先階釦表示形状決定手段１０は、検索階を最下階に設定する。手順４５で、検索階の区分を「高い」「普通」「低い」のどれかに含まれるか判断する。「低い」の場合は手順４６、「普通」の場合は手順４７、「高い」の場合は手順４８へ進む。手順４６で、行先階釦表示形状決定手段１０は行先階釦形状をＳＳ（表１参照）として、行先階釦表示手段８へＳＳ（表１参照）の情報を送信し、手順４９へ進む。手順４７で、行先階釦表示形状決定手段１０は行先階釦形状をＳＭ（表１参照）として、行先階釦表示手段８へＳＭ（表１参照）の情報を送信し、手順４９へ進む。手順４８で、行先階釦表示形状決定手段１０は行先階釦形状をＳＬ（表１参照）として、行先階釦表示手段８へＳＬ（表１参照）の情報を送信し、手順４９へ進む。手順４９で、検索階が最上階かどうか判断し、最上階の場合は終了し、最上階でないときは、手順５０へ進む。手順５０で、検索階を一つ上の階に設定し、手順４５へ戻る。行先階釦表示手段８は、行先階釦表示形状決定手段１０で求められた行先階釦の形状情報に基づいて、液晶表示制御部４へ液晶表示の位置情報を送信する。
【００２２】
このようなエレベータ操作盤の表示部の行先階釦が降車者数が大きい階ほど大きく表示されているので、行先階釦を選択することが容易にできる。
【００２３】
実施の形態３．
図７はこの発明の実施の形態３のエレベータ制御盤の構成図である。図８は図７の動作のフローチャートである。図７は実施の形態１とは、付加運転動作選択手段を備えられている点が異なり、その他は同様であり、同様な部分の説明は省略する。
【００２４】
この実施の形態３の説明において付加運転動作が行われる場合として、昼食時に例を取っている。付加運転動作とは、出退勤時、催し物、大きな会議などある特定な時間帯に特定な乗場に乗降者が集中する場合に、特別なエレベータかごの運転動作を行うことを意味し、例えば、特定乗場を中心にして上下に運転を分ける、事務居室だけ行先可能にする、エレベータの扉の開放時間を長くするまたは乗降者数の少ないと推定される乗場に停止しないなどの運転動作がある。付加運転動作頻度は、乗降者が集中する乗場と、その行先階の頻度が他に較べて高くした頻度を意味する。
【００２５】
付加運転動作選択手段１７には、予め付加運転動作をその日時、時間帯、対象乗場などが設定してある。付加運転動作選択手段１７は、その予め設定された条件に時刻が到達すると、エレベータ制御装置２及び利用頻度判定手段９に付加運転動作の種類と設定条件の情報を送信する。
【００２６】
図８のフローチャートを参照して、エレベータ操作盤３の動作を説明する。手順５１で、付加運転動作選択手段１７から送信された付加運転動作の種類と設定条件の情報を利用頻度判定手段９に入力されると、手順６２で、付加運転動作時の降車階の区分を行う。混雑状況は予め設定されており、例えば食堂階と、外部に連なった階などを混雑状況が「高い」、会議室などを「低い」、居室などを「普通」と区分してある。次に実施の形態１と同様に手順４４に進み、手順４４から手順５０の間で各階への行先階釦の形状を割当る。
【００２７】
このようなエレベータ操作盤は、特別な時間帯において利用頻度が高い行先階釦が大きく表示されるので、行先階釦を簡単に選択することができる。
【００２８】
実施の形態４．
図９はこの発明の実施の形態４のエレベータ操作盤の動作のフローチャートである。エレベータ操作盤の構成は図１と同様であり、図１及び図９のフローチャートを用いて、エレベータ操作盤３の動作を説明する。手順６１乃至６４は図４の手順３１乃至３４と同様であり、手順６７乃至７２は図４の手順３５乃至４０と同様である。手順６４で行先階釦表示形状決定手段１０は検索階を最下階に設定する。手順６５で、行先階検出手段７からエレベータ制御装置２、利用頻度判定手段９とを経由して行先階釦表示形状決定手段１０へ行先階釦がおされた行先階の情報が送られ、情報が送られたかどうか判断される。行先階釦が押された行先階の場合、手順６６へ進み、押されていないときは手順６７へ進む。手順６６で、押された行先階の区分を「低い」に維持または変更して、「低い」に変更した場合、他の「普通」区分の行先階の区分を一つ「高い」に変更する。手順６８へ進む。行先階釦表示手段８は、行先階釦表示形状決定手段１０で求められた行先階釦の形状情報に基づいて、液晶表示制御部４へ液晶表示の位置情報を送信する。
【００２９】
このようなエレベータ操作盤では、既に行先階釦が押された行先階の釦の表示形状を小さくすることにより、他の階の表示を大きくすることができる。
【００３０】
実施の形態５．
図１０はこの発明の実施の形態５のエレベータ操作盤の動作のフローチャートである。エレベータ操作盤の構成は図１と同様であり、図１及び図１０のフローチャートを用いて、エレベータ操作盤３の動作を説明する。手順８１乃至８４は図４の手順３１乃至３４と同様であり、手順８７乃至９２は図４の手順３５乃至４０と同様である。手順８４で行先階釦表示形状決定手段１０は検索階を最下階に設定する。手順８５で、エレベータ制御装置２からエレベータかご１の昇降方向及び到着済み階床の情報が利用頻度判定手段９を経由して行先階釦表示形状決定手段１０へ送られる。検索階が通過済みか否か判断する。検索階が通過した行先階の場合は手順８６へ進み、未通過の場合は手順８７へ進む。手順８６で、検索階の区分を「低い」に維持または変更する。「低い」に変更した場合、他の「普通」区分の行先階の区分を一つ「高い」に変更する。行先階釦表示手段８は、行先階釦表示形状決定手段１０で求められた行先階釦の形状情報に基づいて、液晶表示制御部４へ液晶表示の位置情報を送信する。
【００３１】
このようなエレベータ操作盤では、既に通過済みの行先階の釦の表示形状を小さくすることにより、他の階の表示を大きくすることができる。
【００３２】
【発明の効果】
この発明に係わるエレベータ操作盤による効果は、行先階釦を表示し、行先階釦に乗客が接触することにより行先階を指定できるタッチパネルディスプレイを備えたエレベータ操作盤において、エレベータの運行状況により各階床への利用頻度を判定する利用頻度判定手段と、利用頻度に応じて行先階釦の表示形状を決定する行先階釦表示形状決定手段とを備えているので、表示部の行先階釦の表示が利用頻度が大きい階床ほど大きくなり、行先階釦を選択することが容易にできる。
【図面の簡単な説明】
【図１】この発明の実施の形態１のエレベータ操作盤の構成図である。
【図２】図１のタッチパネルディスプレイでの行先階釦の表示である。
【図３】図１のタッチパネルディスプレイでの行先階釦の表示である。
【図４】図１の動作のフローチャートである。
【図５】この発明の実施の形態２のエレベータ操作盤の構成図である。
【図６】図５の動作のフローチャートである。
【図７】この発明の実施の形態３のエレベータ制御盤の構成図である。
【図８】図７の動作のフローチャートである。
【図９】この発明の実施の形態４のエレベータ操作盤の動作のフローチャートである。
【図１０】この発明の実施の形態５のエレベータ操作盤の動作のフローチャートである。
【符号の説明】
１  エレベータかご、２  エレベータ制御装置、３  エレベータ操作盤、４  液晶表示制御部、５  タッチパネル制御部、６  タッチパネルディスプレイ、７行先階検出手段、８  行先階釦表示手段、９  利用頻度判定手段、１０  行先階釦表示形状決定手段、１１  表示部、１２  記憶部、１３  行先階釦、１４  負荷検出装置、１５  はかり、１６  送信手段、１７  付加運転動作選択手段。
【図１】
2004189397.tif 000004
【図２】
2004189397.tif 000005
【図３】
2004189397.tif 000006
【図４】
2004189397.tif 000007
【図５】
2004189397.tif 000008
【図６】
2004189397.tif 000009
【図７】
2004189397.tif 000010
【図８】
2004189397.tif 000011
【図９】
2004189397.tif 000012
【図１０】
2004189397.tif 000013